(57)【要約】【課題】ヒューズ管を保持することができ、しかもヒューズ管ホルダへのヒューズ管の着脱時にヒューズ管が破損する可能性を低減することが可能なヒューズ管ホルダを提供する。【解決手段】  ヒューズ管挿入及び抜き出し用開口部２１１から台部１９１と中央保持部１９９間へヒューズ管１８０が挿入される際には、ヒューズ管１８０の挿入方向先端がヒューズ管端部誘導面２０３を台部１９１側から第二支持部１９７側へ摺動し、ヒューズ管１８０がヒューズ管挿入及び抜き出し用開口部２１１から抜き出される際には、ヒューズ管の抜き出し方向後端がヒューズ管端部誘導面２０３を第二支持部１９７側から台部１９１側へ摺動するように構成した。【選択図】      図７
2005243375.tif 000002
【特許請求の範囲】
【請求項１】
ヒューズ管を取り外し可能に保持した状態で、基板のヒューズ管取付端子に前記ヒューズ管の着脱を行うためのヒューズ管ホルダにおいて、
片面がヒューズ管配置面とされた台部と、
前記台部のヒューズ管配置面に、前記ヒューズ管の一端側支持用として立設された第一支持部と、
前記台部のヒューズ管配置面に、前記ヒューズ管の他端側支持用として前記第一支持部から離れた位置に前記第一支持部と同一高さに立設された第二支持部と、
前記第一支持部及び前記第二支持部に配置された前記ヒューズ管の中央部における前記台部とは反対側の外面を支持し、前記ヒューズ管が前記ヒューズ管配置面に対して垂直に遠ざかる方向へ前記ヒューズ管ホルダから抜けるのを防止可能として、前記ヒューズ管配置面の前記第一支持部と前記第二支持部間の中間位置に形成された中央保持部と、
前記第二支持部における前記第一支持部側の端から前記台部に向け傾斜して形成されたヒューズ管端部誘導面と、
前記第一支持部及び第二支持部において前記ヒューズ管の両端を挟む位置に形成され、前記台部に対して平行方向へ前記ヒューズ管が前記ヒューズ管ホルダから抜けるのを防止する平行方向抜け防止突起と、
前記第一支持部と前記中央保持部間で構成されたヒューズ管挿入及び抜き出し用開口部と、を備え、
前記ヒューズ管挿入及び抜き出し用開口部から前記台部と前記中央保持部間へ前記ヒューズ管が挿入される際には、前記ヒューズ管の挿入方向先端が前記ヒューズ管端部誘導面を前記台部側から前記第二支持部側へ摺動し、前記ヒューズ管が前記ヒューズ管挿入及び抜き出し用開口部から抜き出される際には、前記ヒューズ管の抜き出し方向後端が前記ヒューズ管端部誘導面を前記第二支持部側から前記台部側へ摺動するように構成されていることを特徴とするヒューズ管ホルダ。
【請求項２】
前記台部に対し垂直方向に関して、前記中央保持部の頂部内面と前記平行方向抜け防止突起の頂部との間隔ｄ１が、前記ヒューズ管の両端部の直径より小であると共に、前記中央保持部の頂部内面と前記第一支持部及び前記第二支持部との間隔ｄ２は、前記第一支持部及び前記第二支持部に前記ヒューズ管が前記台部と平行に載置された際に前記ヒューズ管の外周面と前記中央保持部間に隙間を生じる間隔とされ、
前記ヒューズ管挿入及び抜き出し用開口部は、前記ヒューズ管挿入及び抜き出し用開口部から前記台部と前記中央保持部間へ前記ヒューズ管が挿入される際に、前記ヒューズ管が前記ヒューズ管挿入及び抜き出し用開口部から前記ヒューズ管挿入方向先端側の前記ヒューズ管端部誘導面を向いた傾斜状態で挿入可能であると共に、前記ヒューズ管挿入及び抜き出し用開口部から前記ヒューズ管が抜き出される際に、前記ヒューズ管が前記ヒューズ管抜き出し方向後端側の前記ヒューズ管端部誘導面から前記ヒューズ管挿入及び抜き出し用開口部を向いた傾斜状態で抜き出し可能に構成されていることを特徴とする請求項１に記載のヒューズ管ホルダ。
【請求項３】
前記第一支持部、前記第一支持部の平行方向抜け防止突起、前記中央保持部及び前記ヒューズ管端部誘導面は、前記ヒューズ管挿入及び抜き出し用開口部から前記ヒューズ管が前記第二支持部側へ挿入される際、前記ヒューズ管の挿入方向先端が前記ヒューズ管端部誘導面に当たると共に前記ヒューズ管の挿入方向後端が前記第一支持部の平行方向抜け防止突起に乗り上げ、かつ前記ヒューズ管の中央部外面の一部が前記中央保持部の頂部内面と接触して前記台部に対して傾斜した状態で前記ヒューズ管が一旦停止し、前記ヒューズ管の更なる圧入によって前記ヒューズ管の前記挿入方向先端が前記ヒューズ管端部誘導面を前記第二支持部側へ摺動して前記第二支持部へ移動し、前記ヒューズ管の挿入方向後端が前記第一支持部の平行方向抜け防止突起から前記第一支持部へ移動して前記台部に対して前記ヒューズ管が平行に配置されるように構成されていることを特徴とする請求項１または２に記載のヒューズ管ホルダ。
【請求項４】
前記中央保持部内には、前記ヒューズ管ホルダに前記ヒューズ管を着脱する際に前記ヒューズ管の挿入方向先端側あるいは抜き出し方向後端側を一旦位置させる仮配置用空間が、前記ヒューズ管端部誘導面と前記台部間に形成されていることを特徴とする請求項１から３の何れか一項に記載のヒューズ管ホルダ。
【請求項５】
前記中央保持部の頂部内面は、前記ヒューズ管の着脱時の前記ヒューズ管挿入側及び抜き出し側に外方へ拡開した弧面あるいは傾斜面からなる中央誘導部が形成され、前記ヒューズ管の着脱途中に前記ヒューズ管が中央部外面の一部で前記中央誘導部に接触すると共に前記挿入方向先端あるいは抜き出し方向後端が前記ヒューズ管端部誘導面を摺動することにより前記ヒューズ管の誘導が行われるように構成されていることを特徴とする請求項１から４の何れか一項に記載のヒューズ管ホルダ。
【請求項６】
前記ヒューズ管ホルダは、前記台部に垂直な中心線に対して左右対称に形成され、前記第一支持部における前記第二支持部側の端から前記台部に向けて傾斜したヒューズ管端部誘導面が、前記第二支持部側の前記ヒューズ管端部誘導面と同様に形成されていることを特徴とする請求項１から５の何れか一項に記載のヒューズ管ホルダ。
【請求項７】
前記ヒューズ管端部誘導面の幅が前記ヒューズ管の端部の直径より小とされていることを特徴とする請求項１から６の何れか一項に記載のヒューズ管ホルダ。
【請求項８】
前記中央保持部は内面形状が略逆Ｕ字形状の断面とされて前記台部に立設されていることを特徴とする請求項１から７の何れか一項に記載のヒューズ管ホルダ。
【請求項９】
前記基板は基板ケースに収容され、前記基板ケースには前記ヒューズ管の取付位置にヒューズ管挿入孔が形成されていると共に、前記ヒューズ管挿入孔の周囲を包囲する保護枠が立設されており、前記ヒューズ管ホルダは前記保護枠内に前記ヒューズ管ホルダのヒューズ管配置側が挿入されるものであることを特徴とする請求項１から８の何れか一項に記載のヒューズ管ホルダ。
【請求項１０】
前記ヒューズ管ホルダは、前記保護枠に形成されているヒューズ管ホルダ着脱方向ガイド部によって誘導されるホルダ側ガイド部が形成されていることを特徴とする請求項９に記載のヒューズ管ホルダ。
【請求項１１】
前記保護枠の前記ヒューズ管ホルダ着脱方向ガイド部は、前記保護枠の内面に形成された中央保持部摺動溝で構成され、前記ホルダ側ガイド部は、前記ヒューズ管ホルダの前記中央保持部で構成され、前記ヒューズ管ホルダの着脱時に前記中央保持部の外面の一部が前記中央保持部摺動溝内を摺動することを特徴とする請求項１０に記載のヒューズ管ホルダ。
【請求項１２】
前記ヒューズ管ホルダには、前記保護枠に前記ヒューズ管ホルダが装着された際に前記保護枠と係合するホルダ側係合部が形成されていることを特徴とする請求項９から１１の何れか一項に記載のヒューズ管ホルダ。
【発明の詳細な説明】
【技術分野】
【０００１】
本発明は、ヒューズ管を取り外し可能に保持した状態で機械の制御に関わる基板等に着脱可能にするヒューズ管ホルダに関する。
【背景技術】
【０００２】
従来、機械においては、ヒューズ管を基板のヒューズ管取付端子に取り付け、所定値以上の電流が流れた場合にヒューズ管で電流を遮断して基板における装置の動作を停止させることが行われている。また、基板のヒューズ管取付端子への着脱を容易にするため、ヒューズ管ホルダにヒューズ管を取り外し可能に保持し、ヒューズ管ホルダに保持した状態でヒューズ管を基板のヒューズ管取付端子に取り付けるようにした機械もある。
【０００３】
従来のヒューズ管ホルダとして、ホルダ基板部の前面に断面が円弧状あるいは筒状の保持部をヒューズ管のガラス管部分の外形よりもわずかに小さくして設け、前記保持部にヒューズ管を押し込んで保持部を弾性変形によって広げることによりヒューズ管を基板部と平行に保持するものがある。
【０００４】
しかし、従来のヒューズ管ホルダにおいては、ヒューズ管を保持部に押し込む際に保持部の内面によってヒューズ管の側部外周面が強く押されて擦られることになるため、ヒューズ管に破損などが生じる可能性があった。また、ヒューズ管ホルダからヒューズ管を抜き取る際にも、保持部の内面によってヒューズ管の側部外周面が強く押されて擦られることになるため、ヒューズ管の取り付け時と同様にヒューズ管に破損などの生じる可能性があった。
【特許文献１】特開２００２−２６０５１７号公報
【発明の開示】
【発明が解決しようとする課題】
【０００５】
本発明は、前記の点に鑑みなされたもので、ヒューズ管ホルダへのヒューズ管の着脱時にヒューズ管が破損する可能性を低減することが可能なヒューズ管ホルダの提供を目的とする。
【課題を解決するための手段】
【０００６】
請求項１の発明は、ヒューズ管を取り外し可能に保持した状態で、基板のヒューズ管取付端子に前記ヒューズ管の着脱を行うためのヒューズ管ホルダにおいて、片面がヒューズ管配置面とされた台部と、前記台部のヒューズ管配置面に、前記ヒューズ管の一端側支持用として立設された第一支持部と、前記台部のヒューズ管配置面に、前記ヒューズ管の他端側支持用として前記第一支持部から離れた位置に前記第一支持部と同一高さに立設された第二支持部と、前記第一支持部及び前記第二支持部に配置された前記ヒューズ管の中央部における前記台部とは反対側の外面を支持し、前記ヒューズ管が前記ヒューズ管配置面に対して垂直に遠ざかる方向へ前記ヒューズ管ホルダから抜けるのを防止可能として、前記ヒューズ管配置面の前記第一支持部と前記第二支持部間の中間位置に形成された中央保持部と、前記第二支持部における前記第一支持部側の端から前記台部に向け傾斜して形成されたヒューズ管端部誘導面と、前記第一支持部及び第二支持部において前記ヒューズ管の両端を挟む位置に形成され、前記台部に対して平行方向へ前記ヒューズ管が前記ヒューズ管ホルダから抜けるのを防止する平行方向抜け防止突起と、前記第一支持部と前記中央保持部間で構成されたヒューズ管挿入及び抜き出し用開口部と、を備え、前記ヒューズ管挿入及び抜き出し用開口部から前記台部と前記中央保持部間へ前記ヒューズ管が挿入される際には、前記ヒューズ管の挿入方向先端が前記ヒューズ管端部誘導面を前記台部側から前記第二支持部側へ摺動し、前記ヒューズ管が前記ヒューズ管挿入及び抜き出し用開口部から抜き出される際には、前記ヒューズ管の抜き出し方向後端が前記ヒューズ管端部誘導面を前記第二支持部側から前記台部側へ摺動するように構成されていることを特徴とする。
【０００７】
請求項２の発明は、請求項１において、前記台部に対し垂直方向に関して、前記中央保持部の頂部内面と前記平行方向抜け防止突起の頂部との間隔ｄ１が、前記ヒューズ管の両端部の直径より小であると共に、前記中央保持部の頂部内面と前記第一支持部及び前記第二支持部との間隔ｄ２は、前記第一支持部及び前記第二支持部に前記ヒューズ管が前記台部と平行に載置された際に前記ヒューズ管の外周面と前記中央保持部間に隙間を生じる間隔とされ、前記ヒューズ管挿入及び抜き出し用開口部は、前記ヒューズ管挿入及び抜き出し用開口部から前記台部と前記中央保持部間へ前記ヒューズ管が挿入される際に、前記ヒューズ管が前記ヒューズ管挿入及び抜き出し用開口部から前記ヒューズ管挿入方向先端側の前記ヒューズ管端部誘導面を向いた傾斜状態で挿入可能であると共に、前記ヒューズ管挿入及び抜き出し用開口部から前記ヒューズ管が抜き出される際に、前記ヒューズ管が前記ヒューズ管抜き出し方向後端側の前記ヒューズ管端部誘導面から前記ヒューズ管挿入及び抜き出し用開口部を向いた傾斜状態で抜き出し可能に構成されていることを特徴とする。
【０００８】
請求項３の発明は、請求項１または２において、前記第一支持部、前記第一支持部の平行方向抜け防止突起、前記中央保持部及び前記ヒューズ管端部誘導面は、前記ヒューズ管挿入及び抜き出し用開口部から前記ヒューズ管が前記第二支持部側へ挿入される際、前記ヒューズ管の挿入方向先端が前記ヒューズ管端部誘導面に当たると共に前記ヒューズ管の挿入方向後端が前記第一支持部の平行方向抜け防止突起に乗り上げ、かつ前記ヒューズ管の中央部外面の一部が前記中央保持部の頂部内面と接触して前記台部に対して傾斜した状態で前記ヒューズ管が一旦停止し、前記ヒューズ管の更なる圧入によって前記ヒューズ管の前記挿入方向先端が前記ヒューズ管端部誘導面を前記第二支持部側へ摺動して前記第二支持部へ移動し、前記ヒューズ管の挿入方向後端が前記第一支持部の平行方向抜け防止突起から前記第一支持部へ移動して前記台部に対して前記ヒューズ管が平行に配置されるように構成されていることを特徴とする。
【０００９】
請求項４の発明は、請求項１から３の何れか一項において、前記中央保持部内には、前記ヒューズ管ホルダに前記ヒューズ管を着脱する際に前記ヒューズ管の挿入方向先端側あるいは抜き出し方向後端側を一旦位置させる仮配置用空間が、前記ヒューズ管端部誘導面と前記台部間に形成されていることを特徴とする。
【００１０】
請求項５の発明は、請求項１から４の何れか一項において、前記中央保持部の頂部内面は、前記ヒューズ管の着脱時の前記ヒューズ管挿入側及び抜き出し側に外方へ拡開した弧面あるいは傾斜面からなる中央誘導部が形成され、前記ヒューズ管の着脱途中に前記ヒューズ管が中央部外面の一部で前記中央誘導部に接触すると共に前記挿入方向先端あるいは抜き出し方向後端が前記ヒューズ管端部誘導面を摺動することにより前記ヒューズ管の誘導が行われるように構成されていることを特徴とする。
【００１１】
請求項６の発明は、請求項１から５の何れか一項において、前記ヒューズ管ホルダは、前記台部に垂直な中心線に対して左右対称に形成され、前記第一支持部における前記第二支持部側の端から前記台部に向けて傾斜したヒューズ管端部誘導面が、前記第二支持部側の前記ヒューズ管端部誘導面と同様に形成されていることを特徴とする。
【００１２】
請求項７の発明は、請求項１から６の何れか一項において、前記ヒューズ管端部誘導面の幅が前記ヒューズ管の端部の直径より小とされていることを特徴とする。
【００１３】
請求項８の発明は、請求項１から７の何れか一項において、前記中央保持部は内面形状が略逆Ｕ字形状の断面とされて前記台部に立設されていることを特徴とする。
【００１４】
請求項９の発明は、請求項１から８の何れか一項において、前記基板は基板ケースに収容され、前記基板ケースには前記ヒューズ管の取付位置にヒューズ管挿入孔が形成されていると共に、前記ヒューズ管挿入孔の周囲を包囲する保護枠が立設されており、前記ヒューズ管ホルダは前記保護枠内に前記ヒューズ管ホルダのヒューズ管配置側が挿入されるものであることを特徴とする。
【００１５】
請求項１０の発明は、請求項９において、前記ヒューズ管ホルダは、前記保護枠に形成されているヒューズ管ホルダ着脱方向ガイド部によって誘導されるホルダ側ガイド部が形成されていることを特徴とする。
【００１６】
請求項１１の発明は、請求項１０において、前記保護枠の前記ヒューズ管ホルダ着脱方向ガイド部は、前記保護枠の内面に形成された中央保持部摺動溝で構成され、前記ホルダ側ガイド部は、前記ヒューズ管ホルダの前記中央保持部で構成され、前記ヒューズ管ホルダの着脱時に前記中央保持部の外面の一部が前記中央保持部摺動溝内を摺動することを特徴とする。
【００１７】
請求項１２の発明は、請求項９から１１の何れか一項において、前記ヒューズ管ホルダには、前記保護枠に前記ヒューズ管ホルダが装着された際に前記保護枠と係合するホルダ側係合部が形成されていることを特徴とする。
【発明の効果】
【００１８】
請求項１の発明によれば、台部のヒューズ管配置面に、前記ヒューズ管の一端側支持用として立設された第一支持部と、前記台部のヒューズ管配置面に、前記ヒューズ管の他端側支持用として前記第一支持部から離れた位置に前記第一支持部と同一高さに立設された第二支持部と、前記第一支持部及び前記第二支持部に配置された前記ヒューズ管の中央部における前記台部とは反対側の外面を支持し、前記ヒューズ管が前記ヒューズ管配置面に対して垂直に遠ざかる方向へ前記ヒューズ管ホルダから抜けるのを防止可能として、前記ヒューズ管配置面の前記第一支持部と前記第二支持部間の中間位置に形成された中央保持部と、前記第二支持部における前記第一支持部側の端から前記台部に向け傾斜して形成されたヒューズ管端部誘導面と、前記第一支持部及び第二支持部において前記ヒューズ管の両端を挟む位置に形成され、前記台部に対して平行方向へ前記ヒューズ管が前記ヒューズ管ホルダから抜けるのを防止する平行方向抜け防止突起と、前記第一支持部と前記中央保持部間で構成されたヒューズ管挿入及び抜き出し用開口部とを備え、前記ヒューズ管挿入及び抜き出し用開口部から前記台部と前記中央保持部間へ前記ヒューズ管が挿入される際には、前記ヒューズ管の挿入方向先端が前記ヒューズ管端部誘導面を前記台部側から前記第二支持部側へ摺動し、前記ヒューズ管が前記ヒューズ管挿入及び抜き出し用開口部から抜き出される際には、前記ヒューズ管の抜き出し方向後端が前記ヒューズ管端部誘導面を前記第二支持部側から前記台部側へ摺動するように構成されていることにより、ヒューズ管が破損する可能性を低減させることが可能である。
【００１９】
請求項２の発明によれば、前記台部に対し垂直方向に関して、前記中央保持部の頂部内面と前記平行方向抜け防止突起の頂部との間隔ｄ１が、前記ヒューズ管の両端部の直径より小であると共に、前記中央保持部の頂部内面と前記第一支持部及び前記第二支持部との間隔ｄ２は、前記第一支持部及び前記第二支持部に前記ヒューズ管が前記台部と平行に載置された際に前記ヒューズ管の外周面と前記中央保持部間に隙間を生じる間隔とされ、前記ヒューズ管挿入及び抜き出し用開口部は、前記ヒューズ管挿入及び抜き出し用開口部から前記台部と前記中央保持部間へ前記ヒューズ管が挿入される際に、前記ヒューズ管が前記ヒューズ管挿入及び抜き出し用開口部から前記ヒューズ管挿入方向先端側の前記ヒューズ管端部誘導面を向いた傾斜状態で挿入可能であると共に、前記ヒューズ管挿入及び抜き出し用開口部から前記ヒューズ管が抜き出される際に、前記ヒューズ管が前記ヒューズ管抜き出し方向後端側の前記ヒューズ管端部誘導面から前記ヒューズ管挿入及び抜き出し用開口部を向いた傾斜状態で抜き出し可能に構成されていることにより、ヒューズ管ホルダに対するヒューズ管の着脱が容易となり、しかもヒューズ管ホルダに対するヒューズ管の着脱時にヒューズ管とヒューズ管ホルダの接触部分を減少させて、ヒューズ管が破損する可能性を低減させることが可能である。
【００２０】
請求項３の発明によれば、前記第一支持部、前記第一支持部の平行方向抜け防止突起、前記中央保持部及び前記ヒューズ管端部誘導面は、前記ヒューズ管挿入及び抜き出し用開口部から前記ヒューズ管が前記第二支持部側へ挿入される際、前記ヒューズ管の挿入方向先端が前記ヒューズ管端部誘導面に当たると共に前記ヒューズ管の挿入方向後端が前記第一支持部の平行方向抜け防止突起に乗り上げ、かつ前記ヒューズ管の中央部外面の一部が前記中央保持部の頂部内面と接触して前記台部に対して傾斜した状態で前記ヒューズ管が一旦停止し、前記ヒューズ管の更なる圧入によって前記ヒューズ管の前記挿入方向先端が前記ヒューズ管端部誘導面を前記第二支持部側へ摺動して前記第二支持部へ移動し、前記ヒューズ管の挿入方向後端が前記第一支持部の平行方向抜け防止突起から前記第一支持部へ移動して前記台部に対して前記ヒューズ管が平行に配置されるように構成されていることにより、ヒューズ管ホルダに対するヒューズ管の装着が容易となり、しかもヒューズ管ホルダに対するヒューズ管の装着時にヒューズ管とヒューズ管ホルダの接触部分を減少させて、ヒューズ管が破損する可能性を低減させることが可能である。
【００２１】
請求項４の発明によれば、前記中央保持部内には、前記ヒューズ管ホルダに前記ヒューズ管を着脱する際に前記ヒューズ管の挿入方向先端側あるいは抜き出し方向後端側を一旦位置させる仮配置用空間が、前記ヒューズ管端部誘導面と前記台部間に形成されていることにより、ヒューズ管ホルダにヒューズ管を着脱する際、ヒューズ管の挿入方向先端をヒューズ管端部誘導面から第二支持部へあるいはヒューズ管の抜き出し方向後端を第二支持部からヒューズ管端部誘導面へ誘導するためのヒューズ管の誘導空間をより大きく持たせることが可能であり、ヒューズ管の着脱作業が容易に行うことが可能となる。
【００２２】
請求項５の発明によれば、前記中央保持部の頂部内面は、前記ヒューズ管の着脱時の前記ヒューズ管挿入側及び抜き出し側に外方へ拡開した弧面あるいは傾斜面からなる中央誘導部が形成され、前記ヒューズ管の着脱途中に前記ヒューズ管が中央部外面の一部で前記中央誘導部に接触すると共に前記挿入方向先端あるいは抜き出し方向後端が前記ヒューズ管端部誘導面を摺動することにより前記ヒューズ管の誘導が行われるように構成されているため、ヒューズ管ホルダに対するヒューズ管の着脱途中においてヒューズ管とヒューズ管ホルダの中央保持部との接触部分を減少させて、ヒューズ管が破損する可能性を低減させることが可能であり、しかもヒューズ管の挿入方向先端をヒューズ管端部誘導面から第二支持部へあるいはヒューズ管の抜き出し方向後端を第二支持部からヒューズ管端部誘導面へ誘導するための作業が容易になる。
【００２３】
請求項６の発明によれば、前記ヒューズ管ホルダは、前記台部に垂直な中心線に対して左右対称に形成され、前記第一支持部における前記第二支持部側の端から前記台部に向けて傾斜したヒューズ管端部誘導面が、前記第二支持部側の前記ヒューズ管端部誘導面と同様に形成されていることにより、ヒューズ管ホルダに対するヒューズ管の着脱を第一支部側と第二支持部側の何れからでも容易に行うことが可能である。
【００２４】
請求項７の発明によれば、前記ヒューズ管端部誘導面の幅が前記ヒューズ管の端部の直径より小とされていることにより、ヒューズ管ホルダに対するヒューズ管の着脱時にヒューズ管とヒューズ管ホルダの接触部分を減少させて、ヒューズ管が破損する可能性を低減させることが可能である。
【００２５】
請求項８の発明によれば、前記中央保持部は内面形状が略逆Ｕ字形状の断面とされて前記台部に立設されていることにより、ヒューズ管が台部に対して垂直方向へ抜けるのを防ぐことが可能となり、基板に対してヒューズ管ホルダのヒューズ管側を下向きにしてヒューズ管の取付作業をする際に、ヒューズ管ホルダからヒューズ管が落下して外れるのを防止することが可能となる。
【００２６】
請求項９の発明によれば、前記基板は基板ケースに収容され、前記基板ケースには前記ヒューズ管の取付位置にヒューズ管挿入孔が形成されていると共に、前記ヒューズ管挿入孔の周囲を包囲する保護枠が立設されており、前記ヒューズ管ホルダは前記保護枠内に前記ヒューズ管ホルダのヒューズ管配置側が挿入されることにより、ヒューズ管を基板ケースの保護枠で保護することが可能となる。
【００２７】
請求項１０の発明によれば、前記ヒューズ管ホルダは、前記保護枠に形成されているヒューズ管ホルダ着脱方向ガイド部によって誘導されるホルダ側ガイド部が形成されていることにより、ヒューズ管ホルダの着脱が容易となる。
【００２８】
請求項１１の発明によれば、前記保護枠の前記ヒューズ管ホルダ着脱方向ガイド部は、前記保護枠の内面に形成された中央保持部摺動溝で構成され、前記ホルダ側ガイド部は、前記ヒューズ管ホルダの前記中央保持部で構成され、前記ヒューズ管ホルダの着脱時に前記中央保持部の外面の一部が前記中央保持部摺動溝内を摺動することにより、ヒューズ管ホルダの着脱を容易に行うことが可能となる。
【００２９】
請求項１２の発明によれば、前記ヒューズ管ホルダには、前記保護枠に前記ヒューズ管ホルダが装着された際に前記保護枠と係合するホルダ側係合部が形成されていることにより、ヒューズ管ホルダの基板ケースへの取り付けがし易くなると共にヒューズ管ホルダに保持されたヒューズ管のヒューズ管取付端子への取り付けがし易くなる。
【発明を実施するための最良の形態】
【００３０】
以下添付の図面に基づき本発明の好適な実施形態を説明する。図１は本発明の一例に係るヒューズ管ホルダを備える遊技機について釘を省略して示す正面図、図２は同遊技機の裏面図、図３は同実施例におけるヒューズ管ホルダ未装着状態の電源基板の平面図と正面図、図４は同実施例におけるヒューズ管及びヒューズ管ホルダを示す図、図５は同実施例におけるヒューズ管ホルダの斜視図、図６は同実施例における基板ケースの保護枠部分を示す斜視図、図７は同実施例におけるヒューズ管ホルダへのヒューズ管の装着時を示す断面図、図８は同実施例におけるヒューズ管装着状態のヒューズ管ホルダの斜視図、図９は同実施例におけるヒューズ管ホルダ装着状態の保護枠部分の斜視図、図１０は同実施例におけるヒューズ管ホルダ装着状態の電源基板の平面図と正面図である。
【００３１】
図１に示すこの実施例の遊技機１は、遊技媒体として遊技球を用いるパチンコ遊技機であって、遊技盤３の縁に遊技球の外側ガイドレール４及び内側ガイドレール５が略円形に立設され、前記内側ガイドレール５によって囲まれた遊技領域６の中心線上にその上部から下部に向かって順に表示装置９、始動入賞口１０、特別電動役物である大入賞口１５、アウト口１７が配設され、また上方両側にはランプ風車１８ａ，１８ｂ、その下方に普通図柄変動開始用左ゲート１９及び普通図柄変動開始用右ゲート２１、その下方に左袖入賞口２３と右袖入賞口２５、さらには前記大入賞口１５の両側に左落とし入賞口２７と右落とし入賞口２９が配設されている。符号２２ａ，２２ｂは風車、Ｆ１は外枠、Ｆ２は外枠Ｆ１に取り付けられた前枠、Ｇは前枠Ｆ２に開閉可能にヒンジで取り付けられたガラス枠である。
【００３２】
また、前記遊技機１の前面側には、枠飾り右ランプ３５ａ、枠飾り上ランプ３５ｂ及び枠飾り左ランプ３５ｃからなるランプ装置３５、払い出された遊技球を受けるための上側球受け皿３６、該上側球受け皿３６の飽和時に遊技球を受けるための下側球受け皿３７、効果音等を発するスピーカ３８、遊技者の発射操作に応じて遊技球を遊技領域６に向けて弾発発射する発射装置５３等がそれぞれ組み付けられている。前記発射装置５３は、操作ハンドル５４の操作により駆動する発射モータを裏側に有し、該発射モータの駆動により遊技球を弾発発射するようになっている。前記発射装置５３により発射された遊技球は、前記遊技盤面に立設された外側誘導レール４と内側誘導レール５間で構成される発射球誘導路を介して遊技領域６に誘導される。前記遊技領域６に誘導された遊技球は、転動しつつ下方へ落下し、前記各装置及び各入賞口に入賞するか、或いは何処にも入賞しなければ前記アウト口１７から遊技盤３の裏側へ排出される。なお、この例の遊技機１は、プリペイドカードユニット５５が接続されている。
【００３３】
ここで、前記遊技機１が行う遊技について簡単に説明する。前記遊技機１では、前記発射装置５３により遊技領域６へ向けて発射された遊技球が、前記種々の入賞口に入賞すると入賞口の応じた所定数の遊技球が賞球として上側球受け皿３６に払い出される。また、前記普通図柄変動開始用左ゲート１９及び普通図柄変動開始用右ゲート２１を遊技球が通過すると、小当たり判定・普通図柄決定用乱数値が取得され、その取得乱数値に基づいて普通図柄の当たり（小当たり）判定が行われ、前記表示装置９の左下に組み込まれている普通図柄表示部４５で普通図柄が変動を開始し、所定時間変動後に停止する。その際、前記普通図柄の当たり判定結果が小当たりの場合には、小当たり普通図柄、この例では奇数で停止し、前記始動入賞口１０の２つの可動片１０ａ，１０ｂが背面の始動入賞口用ソレノイドによって略垂直で入賞し難い狭小開放状態（通常状態）から略Ｖ字形（逆ハの字形）の入賞し易い拡開開放状態に変化し、遊技球が入賞し易くなる。そして、前記始動入賞口１０に遊技球が入賞すると、所定数の遊技球が賞球として払い出される。
【００３４】
また、前記始動入賞口１０に遊技球が入賞すると、大当たり当否判定用乱数値及び大当たり確定特別図柄の組合せ決定用乱数値が取得され、前記取得された大当たり当否判定用乱数値に基づいて大当たりの当否判定が行われ、前記表示装置９の大部分を占める特別図柄表示部４２で特別図柄が変動を開始し、所定時間変動後に停止する。
【００３５】
前記大当たりの当否判定結果が大当たりの場合には、前記特別図柄表示部４２に大当たり確定特別図柄組合せ、この例では『１，１，１』（いわゆる‘１’のぞろ目）や『２，２，２』（いわゆる‘２’のぞろ目）等、同一数字の組合せ）で停止表示され、遊技者に有利な大当たり遊技（特別遊技）に移行する。前記特別遊技状態になると、前記大入賞口１５の開閉板１６が開いて遊技領域６表面を落下してくる遊技球を受け止め易くして、大入賞口１５へ入賞可能にし、該大入賞口１５への入賞があると、所定数の遊技球が賞球として払い出される。前記開閉板１６は、所定時間（例えば２９．５秒）経過後、或いは入賞球数が所定個数（例えば１０個）となった時点で閉じるようにされている。また、前記大入賞口１５の開放中又は大入賞口１５が閉じてから約２秒以内に、大入賞口内の特定領域入賞口５２への入賞球が検出されると、前記大当たりを再度繰り返す継続権利が発生し、所定最高回数（例えば最高１６回）、前記開閉板１６の開放を繰り返すようになっている。
【００３６】
前記遊技１の裏側には、遊技の制御を行うための制御回路基板や装置が配設されている。図２は遊技機１の裏面を示すものであり、前記制御回路基板及び装置の主なものとして、主制御回路基板１００、表示制御回路基板１０５、中継基板１０８、ランプ制御回路基板１１０、音声制御回路基板１１５、払出制御回路基板１２０、賞球払出装置１２５、球貸払出装置１３０、球切れスイッチ基板１３３、受電基板１３５、電源基板１４０、カードインターフェイス接続部１４３、発射制御回路基板１４５、枠用外部端子基板１５０、盤用外部端子基板１５５等が示されている。なお、各基板には電気回路が形成され、また基板ケースに収容されている。
【００３７】
本実施例では、前記電源基板（本発明の基板）１４０は、図３に示すように、ヒューズ管取付端子１６１が設けられ、基板ケース１７０に収容されている。前記ヒューズ管取付端子１６１は、図４に示すヒューズ管１８０を取り外し可能に取り付けるためのもので、ヒューズ管１８０が遊技機１と平行にされて遊技機１の背面に対して垂直方向へ押し込まれた際に、ヒューズ管１８０両端の口金１８１，１８１を挟持可能なように先端が二股状に開いた金具で構成され、前記ヒューズ管１８０の口金１８１，１８１間の距離と等しい距離離れて設けられている。また、図示の電源基板１４０には小制御部材１４１が設けられている。
【００３８】
前記基板ケース１７０は、遊技機の前方側が開口した箱状からなり、背面１７１にはヒューズ管の取付位置にヒューズ管挿入孔１７２が形成されると共に、前記ヒューズ管挿入孔１７２の周囲を包囲する保護枠１７３が立設されている。前記保護枠１７３は、図６にも示すように、平面形状が長方形の枠からなり、対向する短辺側の開口端にはヒューズ管ホルダ取っ手配置凹部１７４，１７４が形成されている。また、前記保護枠１７３における長辺側の対向する内面のそれぞれには、ヒューズ管ホルダ載置用棚１７５，１７５がそれの長さ方向に所要距離離して形成されている。前記長辺側の対向する内面それぞれにおける前記ヒューズ管ホルダ載置用棚１７５，１７５間の隙間は、ヒューズ管ホルダ着脱方向ガイド部として中央保持部摺動溝１７６を構成している。さらに、前記保護枠１７３における長辺側の対向する内面のそれぞれには、前記ヒューズ管ホルダ載置用棚１７５，１７５間に凹部からなる保護枠側係合部１７７が形成されている。なお、ヒューズ管ホルダ載置用棚１７５，１７５は、ヒューズ管取付端子１６１の少なくとも一部を覆うように形成されており、覆われた部分において着脱するヒューズ管ホルダ１９０やヒューズ管１８０あるいは外部からの障害物がヒューズ管取付端子１６１に接触して、ヒューズ管取付端子１６１が破損するおそれを低減することが可能である。
【００３９】
前記ヒューズ管１８０は、所定値以上の電流が流れた際に電流を遮断する過電流遮断部材であり、図示の例では、内部に通電部が設けられた中空ガラス管の両端に金属製の口金１８１，１８１が設けられている。
【００４０】
前記ヒューズ管１８０は、図４及び図５に示すヒューズ管ホルダ１９０に保持されて前記電源基板１４０のヒューズ管取付端子１６１に着脱可能とされる。前記ヒューズ管ホルダ１９０は、台部１９１と、前記台部１９１の片面で構成されるヒューズ管配置面１９２に立設された第一支持部１９５及び第二支持部１９７と、中央保持部１９９と、第一支持部側ヒューズ管端部誘導面２０１及び第二支持部側ヒューズ管端部誘導面２０３とを備える。
【００４１】
前記台部１９１は、前記ヒューズ管１８０の長さよりも長く、かつ前記保護枠１７３内の前記ヒューズ管ホルダ載置用棚１７５，１７５に載置可能な大きさの長方形板体からなり、長さ方向中央部に開口１９３が形成されている。前記中央部の開口１９３は前記ヒューズ管１８０が通過することのできない大きさとされている。また前記台部１９１の長さ方向両端には取っ手１９４，１９４が外方へ突出形成されている。前記取っ手１９４，１９４は前記保護枠１７３に前記ヒューズ管ホルダ１９０を着脱する際に前記ヒューズ管ホルダ１９０を掴むのに利用され、前記保護枠１７３のヒューズ管ホルダ取っ手配置凹部１７４，１７４に嵌った際に、図９に示すように前記取っ手１９４，１９４の先端が前記保護枠１７３から突出する大きさに形成されている。なお、ヒューズ管ホルダ１９０を保護枠１７３内に載置した際に、台部１９１のうちヒューズ管配置面１９２とは反対側の面により、ヒューズ管ホルダ１９０に取付けられたヒューズ管１８０を外部からの障害に対して保護することが可能である。
【００４２】
前記第一支持部１９５は前記ヒューズ管１８０の一端側支持用として、また前記第二支持部１９７は前記ヒューズ管１８０の他端支持用としてのもので、図示の例では両支持部１９５，１９７によって前記ヒューズ管１８０の両端の口金１８１部分を支持する。前記第一支持部１９５及び第二支持部１９７は、前記台部１９１のヒューズ管配置面１９２上において、互いに前記ヒューズ管１８０の口金１８１，１８１間の距離離して、かつ前記台部１９１のヒューズ管配置面１９２からの位置が同一高さに立設されている。また、図示の第一支持部１９５及び第二支持部１９７の上面、すなわち口金配置面１９５ａ、１９７ａは、前記口金１８１，１８１の外形に合わせて円弧面で構成されている。
【００４３】
前記第一支持部１９５及び第二支持部１９７には、前記第一支持部１９５及び第二支持部１９７にヒューズ管１８０が配置された際にヒューズ管１８０の両端を挟む位置、すなわち前記ヒューズ管１８０の長さと同一あるいは僅かに大の距離離れた位置に平行方向抜け防止突起１９６，１９８が立設されている。前記平行方向抜け防止突起１９６，１９８は、前記ヒューズ管ホルダ１９０からヒューズ管１８０が前記台部１９１に対して平行方向に抜けるのを防止するために設けられている。なお、第一支持部１９５及び第二支持部１９７にヒューズ管１８０が配置された際に平行方向抜け防止突起１９６，１９８とヒューズ管１８０の長さ方向両端面の各々の間には隙間が生じる構成となっており、ヒューズ管１８０を着脱する際において、ヒューズ管１８０が平行方向抜け防止突起１９６，１９８に接触することを減少させ、ヒューズ管１８０が破損するおそれを低減することが可能である。
【００４４】
前記中央保持部１９９は、前記ヒューズ管１８０の中央部に対して前記台部１９１とは反対側（遠い側）の外面の少なくとも一部を支持して、前記ヒューズ管１８０が前記台部１９１のヒューズ管配置面１９２に対して垂直に前記台部１９１から遠ざかる方向へヒューズ管ホルダ１９０から抜けるのを防止するためのもので、前記台部１９１のヒューズ管配置面１９２において、前記第一支持部１９５及び第二支持部１９７間の中間位置に立設されている。本実施例では、前記中央保持部１９９は、内面形状が略逆Ｕ字形状に立設されている。図７に示すように、前記台部１９１の垂直方向に関して、前記中央保持部１９９の頂部内面と前記平行方向抜け防止突起１９６，１９８の頂部との間隔ｄ１は、前記ヒューズ管１８０の両端部の直径（口金１８１，１８１の直径）より小とされ、それによって、前記ヒューズ管１８０の平行方向の抜けを確実に防止している。また、前記中央保持部１９９の頂部内面と前記第一支持部１９５及び前記第二支持部１９７との間隔ｄ２は、前記第一支持部１９５及び前記第二支持部１９７に前記ヒューズ管１８０が前記台部１９１と平行に載置された際に前記ヒューズ管１８０の外周面と前記中央保持部１９９間に隙間を生じる間隔とされている。よって、ヒューズ管１８０を着脱する際にヒューズ管１８０の外周面が中央保持部１９９の頂部内面と接触する部分が減少し、ヒューズ管１８０の破損する可能性を低減することが可能である。さらに、前記中央保持部１９９の頂部内面は、前記ヒューズ管１８０を前記ヒューズ管ホルダ１９０に装着する際のヒューズ管挿入側及び抜き出す際の抜き出し側が外方へ拡開した弧面あるいは傾斜面、すなわち角部が面取りされたあるいは丸くされた中央誘導部１９９ａ，１９９ｂとなっている。図示の例では前記第一支持部１９５側及び前記第二支持部１９７側の何れの側からも前記ヒューズ管の着脱が可能とされるため、前記中央保持部１９９の両側が中央誘導部１９９ａ，１９９ｂとされている。また、前記中央保持部１９９はホルダ側ガイド部を構成し、前記ヒューズ管ホルダ１９０を前記保護枠１７３に着脱する際に、前記保護枠１７３の中央保持部摺動溝１７６を、前記中央保持部１９９の外面の一部が摺動するようになっている。
【００４５】
前記中央保持部１９９の外面には、前記ヒューズ管ホルダ１９０を前記保護枠１７３に取り付けた際に前記保護枠１７３の内面の前記保護枠側係合部１７７と係合するホルダ側係合部１９０ｂが突起状に形成されている。
【００４６】
前記第一支持部側ヒューズ管端部誘導面２０１は、前記第一支持部１９５に隣接して前記第二支持部１９７寄りに前記台部１９１の前記ヒューズ管配置面１９２から立設された第一支持部側誘導部２００の頂部に、前記第一支持部１９５における前記第二支持部１９７側の端、すなわち前記中央保持部１９９側の端から、前記台部１９１の中央部へ向けて傾斜して形成されている。また、前記第二支持部側ヒューズ管端部誘導面２０３は、前記第二支持部１９７に隣接して前記第一支持部１９５寄りに前記台部１９１の前記ヒューズ管配置面１９２から立設された第二支持部側誘導部２０２の頂部に、前記第二支持部１９７における前記第一支持部１９５側の端、すなわち前記中央保持部１９９側の端から、前記台部１９１の中央部へ向けて傾斜して形成されている。前記第一支持部側ヒューズ管端部誘導面２０１と前記第二支持部側ヒューズ管端部誘導面２０３間は、ヒューズ管誘導空間２０４（図７に示す）を構成する。前記第一支持部側ヒューズ管端部誘導面２０１及び第二支持部側ヒューズ管端部誘導面２０３は、前記台部１９１の長さ方向と直角方向の幅ｗ（図４に示す）が、前記ヒューズ管１８０の両端の直径、図示の例では両端の口金１８１，１８１部分の直径より小とされ、前記ヒューズ管１８０を前記ヒューズ管ホルダ１９０から着脱する際の、前記第一支持部側ヒューズ管端部誘導面２０１及び第二支持部側ヒューズ管端部誘導面２０３に対する前記ヒューズ管１８０の接触部分を少なくし、ヒューズ管の破損可能性を一層低減している。
【００４７】
前記中央保持部１９９内には、前記第一支持部側ヒューズ管端部誘導面２０１及び前記第二支持部側ヒューズ管端部誘導面２０３と前記台部１９１間には、前記ヒューズ管ホルダに対して前記ヒューズ管を着脱する際に前記ヒューズ管の挿入方向先端側あるいは抜き出し方向後端側を一旦位置させる仮配置用空間２０５が、前記ヒューズ管誘導空間２０４から連続して前記ヒューズ管配置面１９２寄りに形成されている。本実施例では、前記第一支持部側ヒューズ管端部誘導面２０１及び前記第二支持部側ヒューズ管端部誘導面２０３間が凹状に窪み、その窪んだ空間が仮配置用空間２０５とされている。前記台部１９１の中央部には前記開口１９３が形成されているため、前記着脱途中の前記ヒューズ管の挿入方向先端あるいは抜き出し方向後端の一部を前記開口１９３に挿入した状態にでき、前記仮配置用空間２０５が広くなるとともに、前記ヒューズ管着脱途中の仮配置がより容易になる。
【００４８】
本実施例における前記ヒューズ管ホルダ１９０は、前記台部１９１に垂直な中心線ｖ（図４に示す）に対して前記台部１９１の長さ方向に左右対称に形成されていて、前記第一支持部１９５と前記中央保持部１９９間で構成された第一支持部側ヒューズ管挿入及び抜き出し用開口部２１１と、前記第二支持部１９７と前記中央保持部１９９間で構成された第二支持部側ヒューズ管挿入及び抜き出し用開口部２１３を対称に有する。
【００４９】
前記第一支持部側ヒューズ管挿入及び抜き出し用開口部２１１及び前記第二支持部側ヒューズ管挿入及び抜き出し用開口部２１３は、前記台部１９１と前記中央保持部１９９間へ前記ヒューズ管１８０が挿入される際に、前記ヒューズ管の挿入に使用される前記ヒューズ管挿入及び抜き出し用開口部（２１１あるいは２１３）から前記ヒューズ管の挿入方向先端側に位置する前記ヒューズ管端部誘導面（前記第一支持部側ヒューズ管挿入及び抜き出し用開口部２１１から挿入される場合には第二支持部側ヒューズ管端部誘導面２０３、前記第二支持部側ヒューズ管挿入及び抜き出し用開口部２１３から挿入される場合は前記第一支持部側ヒューズ管端部誘導面２０１）へ向いた傾斜状態で挿入可能であると共に、前記ヒューズ管１８０が抜き出される際にはヒューズ管の抜き出し方向後端側の前記ヒューズ管端部誘導面（前記第一支持部側ヒューズ管挿入及び抜き出し用開口部２１１から抜き出される場合には第二支持部側ヒューズ管端部誘導面２０３、他方、前記第二支持部側ヒューズ管挿入及び抜き出し用開口部２１３から抜き出される場合は前記第一支持部側ヒューズ管端部誘導面２０１）から前記ヒューズ管の抜き出しに使用される前記ヒューズ管挿入及び抜き出し用開口部（２１１あるいは２１３）へ向いた傾斜状態で抜き出し可能となる大きさで構成される。
【００５０】
さらに、本実施例では、前記第一支持部側ヒューズ管端部誘導面２０１及び前記第二支持部側ヒューズ管端部誘導面２０３と前記台部１９１間には前記仮配置用空間２０５が凹状に窪んで形成されており、前記第一支持部側ヒューズ管挿入及び抜き出し用開口部２１１あるいは前記第二支持部側ヒューズ管挿入及び抜き出し用開口部２１３から前記ヒューズ管１８０を挿入する際に、前記ヒューズ管１８０が前記第一支持部側ヒューズ管端部誘導面２０１及び前記第二支持部側ヒューズ管端部誘導面２０３の位置よりも下方の前記仮配置用空間２０５へ向けて傾斜した状態でも挿入可能なように構成されると共に、前記ヒューズ管１８０の抜き出し時には前記仮配置用空間２０５から前記ヒューズ管１８０の抜き出しに使用される前記ヒューズ管挿入及び抜き出し用開口部（２１１あるいは２１３）を向いた傾斜状態でも抜き出し可能な大きさに形成されている。
【００５１】
図７には、前記第一支持部側ヒューズ管挿入及び抜き出し用開口部２１１から前記ヒューズ管１８０の挿入を行う際の手順を示す。まず、図７の（Ａ）及び（Ｂ）のように、前記ヒューズ管１８０を前記第一支持部側ヒューズ管挿入及び抜き出し用開口部２１１から、前記第一支持部側ヒューズ管端部誘導面２０１及び前記第二支持部側ヒューズ管端部誘導面２０３よりも下方の前記仮配置用空間２０５へ向けて挿入する。そして図７の（Ｃ）のように、前記ヒューズ管１８０の挿入側先端１８０ａを前記仮配置用空間２０５における前記台部１９１のヒューズ管配置面１９２に一旦配置する。次に図７の（Ｃ）及び（Ｄ）に示すように、前記ヒューズ管１８０の挿入方向先端１８０ａを持ち上げるように揺動させながら、前記ヒューズ管１８０をさらに前記第一支持部側ヒューズ管挿入及び抜き出し用開口部２１１から押し込んで、前記ヒューズ管１８０の挿入方向先端１８０ａを前記仮配置用空間２０５から前記第二支持部側ヒューズ管誘導面２０３へ移動させる。これによって、前記ヒューズ管１８０は、前記第二支持部側ヒューズ管誘導面２０３上に前記ヒューズ管１８０の挿入方向先端１８０ａが位置すると共に、前記ヒューズ管１８０の挿入方向後端が前記第一支持部の平行防止突起１９６に乗り上げた傾斜状態となり、前記ヒューズ管１８０の中央部外面が前記中央保持部１９９における第一支持部１９５側の中央誘導部１９９ａに当接して一旦ヒューズ管１８０が停止する。続いて図７の（Ｄ）及び（Ｅ）に示すように、前記ヒューズ管１８０を前記第一支持部側ヒューズ管挿入及び抜き出し用開口部２１１からさらに圧入すると、前記ヒューズ管１８０は、前記ヒューズ管１８０の挿入方向先端１８０ａが前記第二支持部側のヒューズ管端部誘導面２０３を前記第二支持部１９７へ摺動するとともに、ヒューズ管１８０の挿入方向後端１８０ｂが前記第一支持部１９５の平行防止突起１９６から第一支持部１９５へ移動し、前記台部１９１と平行になって前記第一支持部１９５及び第二支持部１９７と前記中央保持部１９９に支持される。また、前記ヒューズ管１８０の挿入方向先端１８０ａの摺動及び挿入方向後端１８０ｂの移動時、前記ヒューズ管１８０の中央外面は前記中央保持部１９９のヒューズ管挿入側、すなわち第一支持部側中央誘導部１９９ａと接触し、その接触部を支点としてヒューズ管１８０が揺動し、前記ヒューズ管１８０の前記両端の動きが、前記中央誘導部１９９ａによっても誘導される。図８には、前記ヒューズ管１８０が装着された前記ヒューズ管ホルダ１９０の状態を示す。
【００５２】
それに対し、前記第一支持部側ヒューズ管挿入及び抜き出し用開口部２１１から前記ヒューズ管１８０を抜き出す際には、図７の（Ｅ）のように、前記台部１９１に対して平行に前記第一支持部１９５、前記第二支持部１９７及び前記中央保持部１９９に支持された状態から、図７の（Ｄ）のように、前記ヒューズ管の抜き出し方向先端を前記第一支持部１９５から持ち上げて前記ヒューズ管１８０の抜き出し方向先端を第一支持部の平行方向抜け防止突起１９６に乗り上げさせると共に、前記ヒューズ管１８０の抜き出し方向後端を前記第二支持部１９７から前記第二支持部側のヒューズ管端部誘導面２０３へ移動させ、さらに図７の（Ｃ）のように、前記ヒューズ管１８０の抜き出し方向後端を前記仮配置用空間２０５における台部１９１のヒューズ管配置面１９２まで一旦摺動させ、その状態で、図７の（Ｂ）及び（Ａ）のように、前記ヒューズ管１８０を前記第一支持部側ヒューズ管挿入及び抜き出し用開口部２１１から抜き出す。
【００５３】
前記第二支持部側ヒューズ管挿入及び抜き出し用開口部２１３から前記ヒューズ管１８０の挿入あるいは抜き出しを行う場合の説明は、前記の説明から容易に理解されるところであり、説明を省略する。前記したようなヒューズ管の挿入及び抜き出しを可能とするように、前記ヒューズ管ホルダ１９０の前記第一及び第二支持部１９５，１９７、前記平行方向抜け防止突起１９６、１９８、前記第一側及び第二側ヒューズ管端部誘導面２０１，２０３、前記中央保持部１９９の位置関係及びサイズが定められる。また、前記ヒューズ管１８０の着脱時に、前記仮配置用空間２０５に一旦ヒューズ管の挿入方向先端あるいは抜き出し方向後端を位置させることなく、前記第一支持部側あるいは第二支持部側ヒューズ管端部誘導面２０１，２０３へ向けて前記ヒューズ管を挿入したり、あるいは前記第一支持部側あるいは第二支持部側ヒューズ管端部誘導面２０１，２０３にヒューズ管の抜き出し方向後端を位置させた状態から抜き出すように構成してもよい。
【００５４】
前記のように前記ヒューズ管１８０が装着されて前記ヒューズ管１８０を保持した前記ヒューズ管ホルダ１９０は、図９及び図１０に示すように、前記ヒューズ管１８０の配置側が、前記基板ケース１７０の保護枠１７３内に収容され、前記ヒューズ管１８０の口金１８１，１８１が前記電源基板１４０のヒューズ管取付端子１６１に押し込まれる。その際、前記ヒューズ管ホルダ１９０は、前記中央保持部１９９がホルダ側ガイド部を構成し、前記保護枠１７３の内面の中央保持部摺動溝１７６を摺動して、挿入のガイドが行われる。そして、前記台部１９１が前記保護枠１７３の内面のヒューズ管ホルダ載置用棚１７５，１７５に載置される位置までヒューズ管ホルダ１９０が前記保護枠１７３内に挿入されると、前記ヒューズ管１８１の口金１８１，１８１が前記ヒューズ管取付端子１６１に押し込まれるとともに、前記ヒューズ管ホルダ１９０の中央保持部１９９外面に形成されている前記ホルダ側係合部１９０ｂが、前記保護枠１７３の内面の前記保護枠側係合部１７７と係合して、前記ヒューズ管ホルダ１９０が基板ケースの保護枠１７３に固定される。なお、前記ヒューズ管ホルダ１９０を前記保護枠１７３から外す際には、前記ヒューズ管ホルダ１９０の取っ手１９４，１９４を引っ張り上げれば、前記ホルダ側係合部１９０ｂと前記保護枠側係合部１７７の係合が弾性変形により解除されて前記ヒューズ管ホルダ１９０を前記保護枠１７３から抜き出すことができる。以上の構成により、従来、ヒューズ管をヒューズ管ホルダに保持した場合にヒューズ管ホルダからヒューズ管が脱落する可能性があったが、本発明によれば、ヒューズ管をヒューズ管ホルダに確実に保持することが可能である。すなわち、ヒューズ管ホルダからヒューズ管を抜き出す等のために任意にヒューズ管に力を加えるとき以外にヒューズ管ホルダからヒューズ管が抜け落ちるのを低減することが可能である。また、ヒューズ管ホルダへのヒューズ管の着脱時に、ヒューズ管の挿入方向先端あるいは抜き出し方向後端がヒューズ管端部誘導面によって誘導されるためにヒューズ管の着脱が容易であり、さらにヒューズ管ホルダに対するヒューズ管の着脱時にヒューズ管とヒューズ管ホルダの接触部分を減少させて、ヒューズ管が破損する可能性を低減させることが可能である。
【００５５】
参考のため、図１１には、本発明とは異なり、前記ヒューズ管端部誘導面２０１，２０３を設けなかった場合のヒューズ管ホルダ３００を示す。この場合、中央保持部３０１の内面と台部３０２間の空間が小さくなって、ヒューズ管３１０の挿入時に中央保持部３０１の内面とヒューズ管３１０の外面が圧接するため、ヒューズ管３１０の破損を生じる可能性が高くなる。
【００５６】
なお、本発明は、前記の実施例に限定されるものではなく、発明の趣旨を逸脱しない範囲において構成の一部を適宜に変更して実施することができる。例えば、前記ヒューズ管ホルダを左右の何れからでもヒューズ管の着脱を行えるようにしたが、一側から、例えば第一支持部側からのみ着脱可能にし、それに対応させて前記ヒューズ管端部誘導面及び中央誘導部もヒューズ管ホルダの一側、例えば第一支持部側のみに設ける構成としてもよい。さらに、前記中央保持部は、略逆Ｕ字形のものが台部に立設されたものに限られず、例えば略逆Ｊ字形のものが台部に立設されたものでもよい。また、本実施例では電源基板にヒューズ管を取り付ける構造としたが、ヒューズ管が取り付けられる基板は電源基板に限られるものではない。
【図面の簡単な説明】
【００５７】
【図１】本発明の一例に係るヒューズ管ホルダを備える遊技機について釘を省略して示す正面図である。
【図２】同遊技機の裏面図である。
【図３】同実施例におけるヒューズ管ホルダ未装着状態の電源基板の平面図と正面図である。
【図４】同実施例におけるヒューズ管及びヒューズ管ホルダを示す図である。
【図５】同実施例におけるヒューズ管ホルダの斜視図である。
【図６】同実施例における基板ケースの保護枠部分を示す斜視図である。
【図７】同実施例におけるヒューズ管ホルダへのヒューズ管の装着時を示す断面図である。
【図８】同実施例におけるヒューズ管装着状態のヒューズ管ホルダの斜視図である。
【図９】同実施例におけるヒューズ管ホルダ装着状態の保護枠部分の斜視図である。
【図１０】同実施例におけるヒューズ管ホルダ装着状態の電源基板の平面図と正面図である。
【図１１】ヒューズ管端部誘導面を設けなかった場合のヒューズ管ホルダに対するヒューズ管着脱を示す断面図である。
【符号の説明】
【００５８】
１  遊技機
３  遊技盤
６  遊技領域
９  表示装置
１０  始動入賞口
４２  特別図柄表示部
４５  普通図柄表示部
１４０  電源基板
１６１  ヒューズ管取付端子
１７０  基板ケース
１７３  保護枠
１７６  中央保持部摺溝
１７７  前記保護枠側係合部
１８０  ヒューズ管
１９０  ヒューズ管ホルダ
１９１  台部
１９２  ヒューズ管配置面
１９３  
１９５  第一支持部
１９７  第二支持部
１９９  中央保持部
１９９ｂ  ホルダ側係合部
２０１  第一支持部側ヒューズ管端部誘導面
２０３  第二支持部側ヒューズ管端部誘導面
２１１  第一支持部側ヒューズ管挿入及び抜き出し用開口部
２０５  仮配置用空間
２１３  第二支持部側ヒューズ管挿入及び抜き出し用開口部
ｖ  台部に垂直な中心線
【図１】
2005243375.tif 000003
【図２】
2005243375.tif 000004
【図３】
2005243375.tif 000005
【図４】
2005243375.tif 000006
【図５】
2005243375.tif 000007
【図６】
2005243375.tif 000008
【図７】
2005243375.tif 000009
【図８】
2005243375.tif 000010
【図９】
2005243375.tif 000011
【図１０】
2005243375.tif 000012
【図１１】
2005243375.tif 000013